(57)【要約】【課題】背当てクッションの位置調整および着脱を容易に行いつつ適切に保持する。【解決手段】背もたれ部材に取り付けられる背当てクッションは、背もたれ部材の上端部に嵌め込み可能な凹部を有する嵌め込み部材と、左右方向における少なくとも一端が開口し嵌め込み部材を挿入可能な筒状のスリーブが上下方向に複数並んで設けられた挿入部と、挿入部に連結されクッション部材が収納されたクッション収納部と、を備えるものである。【選択図】図１
2018191758.tif 000002
【特許請求の範囲】
【請求項１】
背もたれ部材に取り付けられる背当てクッションであって、
前記背もたれ部材の上端部に嵌め込み可能な凹部を有する嵌め込み部材と、
左右方向における少なくとも一端が開口し前記嵌め込み部材を挿入可能な筒状のスリーブが上下方向に複数並んで設けられた挿入部と、
前記挿入部に連結され、クッション部材が収納されたクッション収納部と、
を備える背当てクッション。
【請求項２】
請求項１に記載の背当てクッションであって、
前記挿入部は、前記複数のスリーブの各々の左右方向における両端が開口する
背当てクッション。
【請求項３】
請求項１または２に記載の背当てクッションであって、
前記クッション収納部は、前記挿入部における下端に位置する前記スリーブの下方に連結される
背当てクッション。
【請求項４】
請求項１ないし３のいずれか１項に記載の背当てクッションであって、
前記挿入部における上端に位置する前記スリーブの上方に連結され、重りが収納された重り収納部を備える
背当てクッション。
【請求項５】
請求項１ないし４のいずれか１項に記載の背当てクッションであって、
前記背もたれ部材は、ベッドのヘッドボードである
背当てクッション。
【発明の詳細な説明】
【技術分野】
【０００１】
本発明は、背当てクッションに関する。
【背景技術】
【０００２】
従来、この種の背当てクッションとしては、ベッドで使用されるものや乗用車の座席などで使用されるものが提案されている。例えば、特許文献１には、ベッドのヘッドボードの前面に、左右に延びるレール部材が上下に所定間隔毎に複数設けられ、背当てクッションの裏面に、レール部材に嵌合する嵌合部が設けられ、嵌合部をレール部材に嵌合させることによりヘッドボードに背当てクッションを取り付けるものが記載されている。また、特許文献２には、座席の背もたれの上部に面ファスナが設けられ、クッションを収納したカバーの裏面に面ファスナが設けられ、面ファスナ同士を結合させることによりクッション（カバー）を座席に取り付けるものが記載されている。
【先行技術文献】
【特許文献】
【０００３】
【特許文献１】特開２０１６−２０２２１８号公報
【特許文献２】特開２０１６−１５８８５０号公報
【発明の概要】
【発明が解決しようとする課題】
【０００４】
上述した特許文献１では、背当てクッションの位置調整を可能とするためにヘッドボードに複数のレール部材を設ける必要があり、レール部材のないヘッドボードでは背当てクッションの取り付けや位置調整を行うことができないものとなる。また、特許文献２のクッションでは、クッションの着脱の度に面ファスナの結合を解除させる必要があり、クッションの着脱や位置調整に手間が掛かるだけでなく、経年使用により面ファスナの結合力が低下してクッションを適切に保持することができないおそれがある。
【０００５】
本発明は、背当てクッションの位置調整および着脱を容易に行いつつ適切に保持することを主目的とする。
【課題を解決するための手段】
【０００６】
本発明は、上述の主目的を達成するために以下の手段を採った。
【０００７】
本発明は、背もたれ部材に取り付けられる背当てクッションであって、前記背もたれ部材の上端部に嵌め込み可能な凹部を有する嵌め込み部材と、左右方向における少なくとも一端が開口し前記嵌め込み部材を挿入可能な筒状のスリーブが上下方向に複数並んで設けられた挿入部と、前記挿入部に連結され、クッション部材が収納されたクッション収納部と、を備えることを要旨とする。
【０００８】
本発明の背当てクッションは、背もたれ部材の上端部に嵌め込み可能な凹部を有する嵌め込み部材と、左右方向における少なくとも一端が開口し嵌め込み部材を挿入可能な筒状のスリーブが上下方向に複数並んで設けられた挿入部と、挿入部に連結されクッション部材が収納されたクッション収納部と、を備える。これにより、嵌め込み部材を複数のスリーブのいずれかに挿入して背もたれ部材の上端部に凹部を嵌め込むことで、背当てクッションを背もたれ部材に容易に取り付けて適切に保持することができる。また、嵌め込み部材を挿入するスリーブを変更することにより、背当てクッションの上下方向の位置調整を容易に行うことができる。また、背当てクッションは、嵌め込み部材の凹部の嵌め込みにより背もたれ部材に取り付けられるため、左右方向の位置調整および取り外しを容易に行うことができる。この結果、背当てクッションの位置調整および着脱を容易に行いつつ適切に保持することができる。
【０００９】
本発明の背当てクッションにおいて、前記挿入部は、前記複数のスリーブの各々の左右方向における両端が開口するものとしてもよい。こうすれば、左右方向のいずれからもスリーブ内に嵌め込み部材を出し入れすることができるから、嵌め込み部材を挿入するスリーブの変更即ち背当てクッションの上下方向の位置調整をより容易に行うことができる。
【００１０】
本発明の背当てクッションにおいて、前記クッション収納部は、前記挿入部における下端に位置する前記スリーブの下方に連結されるものとしてもよい。こうすれば、クッション収納部の上下方向の位置調整幅を広くとることが可能となるから、使用者の好みの位置に背当てクッションを容易に位置させることができる。
【００１１】
本発明の背当てクッションにおいて、前記挿入部における上端に位置する前記スリーブの上方に連結され、重りが収納された重り収納部を備えるものとしてもよい。こうすれば、背当てクッションを背もたれ部材に取り付けた際に、嵌め込み部材が挿入されたスリーブよりも上側のスリーブが、重りの重みによって背もたれ部材の後面側に垂れ下がるものとすることができる。このため、後面側のスリーブが背もたれ部材に絡まったような状態となるのを防止して、見栄えが損なわれるのを防止することができる。
【００１２】
本発明の背当てクッションにおいて、前記背もたれ部材は、ベッドのヘッドボードであるものとしてもよい。ベッドのヘッドボードは硬い板材が用いられることが多く、ヘッドボードを背もたれとする場合には、背当てクッションを使用者の好みの位置に取り付けることが好ましい。このため、背当てクッションの位置調整および着脱を容易に行えるようにする意義が高いものとなる。
【図面の簡単な説明】
【００１３】
【図１】背当てクッション１０の構成を示す斜視図である。
【図２】背当てクッション１０の構成を示す斜視図である。
【図３】背当てクッション１０を用いる様子を示す斜視図である。
【図４】背当てクッション１０を用いる様子を示す断面図である。
【図５】変形例の背当てクッション１０Ｂの構成を示す斜視図である。
【図６】変形例の背当てクッション１０Ｂを用いる様子を示す断面図である。
【発明を実施するための形態】
【００１４】
次に、本発明を実施するための形態について図面を参照しながら説明する。
【００１５】
図１，図２は背当てクッション１０の構成を示す斜視図である。背当てクッション１０は、ベッドのヘッドボードや椅子の背板などの背もたれ部材の上部にカバー状に引っ掛けて用いられるものである。なお、本実施形態において、上下方向（高さ方向）および左右方向（幅方向）は、図１，図２に示す通りとする。
【００１６】
背当てクッション１０は、図１に示すように、低反発ウレタン材などで略平板状に形成されたクッションパッド１２と、クッションパッド１２を収納する直方体状のクッション収納部２２などが布地を用いて縫製された外装体２０と、ヘッドボードなどの背もたれ部材に引っ掛けるための嵌め込み部材３０とを備える。
【００１７】
外装体２０は、図１，図２に示すように、上述したクッション収納部２２と、左右方向に開口し嵌め込み部材３０を挿入可能な筒状のスリーブ２６ａが上下方向に複数（例えば５つ）並んで設けられた挿入部２６と、クッション収納部２２と挿入部２６とを連結する帯状の連結部２４とを備える。なお、挿入部２６のスリーブ２６ａ内には、左右のいずれの開口からも嵌め込み部材３０を挿入可能で、左右のいずれの開口からも嵌め込み部材３０を引き出し可能となっている。
【００１８】
嵌め込み部材３０は、例えばＡＢＳなどの樹脂やアルミニウムなどの金属を押し出し成型することにより製造された長尺部材である。嵌め込み部材３０は、長尺方向に延びる断面Ｕ字状の凹部３２を有する。この凹部３２は、嵌め込み部材３０がスリーブ２６ａ内に挿入された状態で、外装体２０（スリーブ２６ａ）の布地と共にヘッドボードなどの背もたれ部材の上端部に嵌め込み可能となっている。このため、複数のスリーブ２６ａのうち、いずれかのスリーブ２６ａ内に嵌め込み部材３０が挿入されて、凹部３２が背もたれ部材の上端部に嵌め込まれることにより、背当てクッション１０が背もたれ部材に取り付けられることになる。複数のスリーブ２６ａは、上下方向に並んで設けられるから、嵌め込み部材３０が挿入されるスリーブ２６ａの位置（上下方向の位置）によって、背もたれ部材の上端部からクッション収納部２２までの距離即ちクッションパッド１２の上下方向の位置が決まるものとなる。
【００１９】
次に、こうして構成された背当てクッション１０の使用状態について説明する。図３は背当てクッション１０を用いる様子を示す斜視図であり、図４は背当てクッション１０を用いる様子を示す断面図である。なお、図３，図４では、ベッドＢのマットレスＭを座部とし、硬い板面を有するヘッドボードＨを背もたれとして、ベッドＢをソファのように使用する際に背当てクッション１０を用いる様子を示す。
【００２０】
背当てクッション１０を使用する使用者Ｓ（図４参照）は、まず、複数のスリーブ２６ａのうち、選択した一のスリーブ２６ａ内に嵌め込み部材３０を挿入する。上述したように、嵌め込み部材３０が挿入されるスリーブ２６ａの位置によってクッションパッド１２の上下方向の位置が決まるから、使用者Ｓは、クッションパッド１２（クッション収納部２２）が好みの高さとなるように、嵌め込み部材３０を挿入するスリーブ２６ａを選択する。そして、使用者Ｓは、嵌め込み部材３０がスリーブ２６ａに挿入された状態で、嵌め込み部材３０の凹部３２をヘッドボードＨの上端部に嵌め込む。これにより、図３および図４に示すように、背当てクッション１０をヘッドボードＨに引っ掛けるように取り付けることができる。なお、図３および図４では、５つのスリーブ２６ａのうち上から４つ目（下から２つ目）のスリーブ２６ａ内に嵌め込み部材３０が挿入された場合を示す。
【００２１】
また、使用者Ｓは、背当てクッション１０の位置調整を次のように行うことができる。クッションパッド１２の上下位置を調整する場合には、使用者Ｓは背当てクッション１０をヘッドボードＨから取り外してスリーブ２６ａ内から嵌め込み部材３０を取り出す。なお、背当てクッション１０は嵌め込み部材３０の凹部３２の嵌め込みによりヘッドボードＨに取り付けられるため、使用者Ｓは背当てクッション１０をヘッドボードＨから容易に取り外すことができる。また、スリーブ２６ａの左右両端が開口しているため、使用者Ｓはいずれの開口からも嵌め込み部材３０を容易に取り出すことができる。そして、使用者Ｓは、クッションパッド１２の位置を高くする場合には、クッション収納部２２により近いスリーブ２６ａ内に嵌め込み部材３０を挿入し、クッションパッド１２の位置を低くする場合には、クッション収納部２２により遠いスリーブ２６ａ内に嵌め込み部材３０を挿入するなどしてから、背当てクッション１０を再度ヘッドボードＨに取り付ける。このように、嵌め込み部材３０を別のスリーブ２６ａ内に入れ直すことで、クッションパッド１２の高さ位置を容易に調整することができる。また、使用者Ｓは、背当てクッション１０のクッションパッド１２の左右位置を調整する場合には、嵌め込み部材３０をスリーブ２６ａ越しに掴んで、ヘッドボードＨの上端部上で背当てクッション１０を左右方向にスライドさせることにより、左右位置を容易に調整することができる。
【００２２】
以上説明した本実施形態の背当てクッション１０は、ヘッドボードＨの上端部に嵌め込み可能な凹部３２を有する嵌め込み部材３０と、嵌め込み部材３０を挿入可能な筒状のスリーブ２６ａが上下方向に複数並んで設けられた挿入部２６と、挿入部２６に連結部２４を介して連結されクッションパッド１２が収納されたクッション収納部２２とを備える。これにより、ヘッドボードＨの上端部への嵌め込み部材３０（凹部３２）の嵌め込みにより、背当てクッション１０をヘッドボードＨに容易に着脱することができる。また、複数のスリーブ２６ａのうち嵌め込み部材３０を挿入するスリーブ２６ａを変更することで背当てクッション１０の上下位置の調整を容易に行うことができ、背当てクッション１０を左右にスライドすることで背当てクッション１０の左右位置の調整を容易に行うことができる。また、嵌め込み部材３０により、経年劣化のおそれなくヘッドボードＨに確実に取り付けることができる。
【００２３】
また、背当てクッション１０は、各スリーブ２６ａが左右両端に開口するから、嵌め込み部材３０のスリーブ２６ａ内への出し入れをし易くして、背当てクッション１０の上下位置の調整をさらに容易に行うことができる。
【００２４】
また、背当てクッション１０は、クッション収納部２２が下端のスリーブ２６ａの下方に連結されており、クッション収納部２２の上下方向の位置調整幅を広くとることができるから、使用者は肩から腰まで背中の広い範囲でクッションパッド１２の位置調整を容易に行うことができる。
【００２５】
また、背当てクッション１０は、ベッドＢのヘッドボードＨに取り付けられるものであり、ヘッドボードＢが硬い板面を有することから背当てクッション１０の位置調整および着脱を容易に行えるようにする効果が高い。
【００２６】
上述した本実施形態では、複数のスリーブ２６ａが左右両端に開口するものとしたが、これに限られず、左右のいずれか一端が開口し、他端が開口しないものとしてもよい。
【００２７】
本実施形態では、断面Ｕ字状の凹部３２を有する嵌め込み部材３０を用いたが、これに限られるものではない。例えば、図５，図６の変形例の背当てクッション１０Ｂに示すように、Ｕ字状よりも開口幅の狭い断面Ｃ字状の凹部３２Ｂを有する嵌め込み部材３０Ｂを用いてもよい。このようにする場合、嵌め込み部材３０Ｂを、ゴムなどの弾性素材で形成し、凹部３２Ｂの開口を広げつつ背もたれ部材の上端部に嵌め込むものなどとしてもよい。このようにすれば、嵌め込み部材３０Ｂの弾性力により背当てクッション１０Ｂを背もたれ部材から脱け落ちにくくすることができる。即ち、背当てクッション１０Ｂを背もたれ部材により確実に取り付けることができる。なお、嵌め込み部材３０Ｂは、変形例の図５，図６の背当てクッション１０Ｂに用いるものに限られず、実施形態の背当てクッション１０に用いるものとしてもよい。
【００２８】
本実施形態では、下端のスリーブ２６ａの下方に連結部２４を介して連結されるクッション収納部２２にクッションパッド１２が収納されるものとしたが、これに限られるものではない。例えば、図５，図６の変形例の背当てクッション１０Ｂに示すように、各スリーブ２６ａの各々の表面側にクッションパッド１４が収納されるものなどとしてもよい。このようにすれば、外装体２０Ｂにおけるクッションパッド（１２，１４）の面積を増やして背当てクッション１０Ｂのクッション性を高めることができる。なお、クッションパッド１４は、変形例の図５，図６の背当てクッション１０Ｂ（外装体２０Ｂ）の各スリーブ２６ａに収納されるものに限られず、実施形態の背当てクッション１０（外装体２０）の各スリーブ２６ａに収納されるものとしてもよい。
【００２９】
ここで、図５の変形例の背当てクッション１０Ｂでは、複数のスリーブ２６ａのうち上端に位置するスリーブ２６ａの上方に、重り２８を収納した重り収納部２９が帯状の連結部２７を介して連結されている。このため、図６に示すように、例えば平板状のヘッドボードＨ’に背当てクッション１０Ｂを取り付けた場合、嵌め込み部材３０Ｂが挿入されたスリーブ２６ａよりも上側のスリーブ２６ａが重り２８の重みによってヘッドボードＨ’の後面側に垂れ下がるものとなる。これにより、ヘッドボードＨ’の後面側のスリーブ２６ａが絡まったような状態となるのを防止して、見栄えが損なわれるのを防止することができる。なお、重り２８を収納した重り収納部２９を、変形例の図５，図６の背当てクッション１０Ｂが備えるものに限られず、実施形態の背当てクッション１０が備えるものとしてもよい。また、ヘッドボードＨ’の上端部を挟んで、前面側にはクッションパッド１２の重さが掛かり、後面側には重り２８の重さが掛かることになるため、重り２８としてクッションパッド１２の重さに近いもの（略同じ重さ）を選択することで、上端部を挟んで前後に掛かる重さのバランスをとることができる。これにより、前後に掛かる重さのバランスが取れていない（例えば、前面側の重みが大きい）ことにより、背当てクッション１０（１０Ｂ）をヘッドボードＨ’に取り付けにくかったり、背当てクッション１０（１０Ｂ）がヘッドボードＨ’から脱落しやすくなったりするのを防止することができる。
【００３０】
本実施形態では、下端のスリーブ２６ａに連結部２４を介してクッション収納部２２が連結されるものとしたが、連結部２４を介さずに下端のスリーブ２６ａにクッション収納部２２が連結されるものなどとしてもよい。また、変形例では、上端のスリーブ２６ａに連結部２７を介して重り収納部２９が連結されるものとしたが、連結部２７を介さずに上端のスリーブ２６ａに重り収納部２９が連結されるものなどとしてもよい。
【００３１】
本実施形態では、ベッドＢのヘッドボードＨ（Ｈ’）に背当てクッション１０が取り付けられるものを例示したが、これに限られるものではない。例えば、椅子の背板に背当てクッション１０が取り付けられるものなど、嵌め込み部材３０の凹部３２が嵌合可能な形状の上端部を有する背もたれ部材であれば、如何なる背もたれ部材に背当てクッション１０が取り付けられるものであってもよい。なお、椅子の背板などの背もたれ部材は、人の背中に合わせて湾曲した形状となっていることが多いため、嵌め込み部材も長手方向に湾曲可能な樹脂やゴムなどの素材で形成するものなどとすればよい。
【００３２】
本実施形態の主要な要素と課題を解決するための手段の欄に記載した発明の主要な要素との対応関係について説明する。実施形態では、背当てクッション１０が「背当てクッション」に相当し、スリーブ２６ａが「スリーブ」に相当し、挿入部２６が「挿入部」に相当し、クッション収納部２２が「クッション収納部」に相当し、嵌め込み部材３０が「嵌め込み部材」に相当する。また、重り２８が「重り」に相当し、重り収納部２９が「重り収納部」に相当する。
【００３３】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００３４】
本発明は、背当てクッションの製造産業などに利用可能である。
【符号の説明】
【００３５】
１０，１０Ｂ  背当てクッション、１２，１４  クッションパッド、２０，２０Ｂ  外装体、２２  クッション収納部、２４，２７  連結部、２６  挿入部、２６ａ  スリーブ、２８  重り、２９  重り収納部、３０，３０Ｂ  嵌め込み部材、３２，３２Ｂ  凹部、Ｂ  ベッド、Ｈ，Ｈ’  ヘッドボード、Ｍ  マットレス、Ｓ  使用者。
【図１】
2018191758.tif 000003
【図２】
2018191758.tif 000004
【図３】
2018191758.tif 000005
【図４】
2018191758.tif 000006
【図５】
2018191758.tif 000007
【図６】
2018191758.tif 000008